(57)【要約】【課題】毛髪用塗布剤をブラシやコームを用いて良好に塗布することのできる毛髪用塗布剤の混合用トレイ及びその使用方法を提供する。【解決手段】この毛髪用塗布剤の混合用トレイ１０は、塗布具４０を用いて毛髪に塗布する毛髪用塗布剤を、毛髪に塗布する前に混合する容器として用いられるものである。そして、この混合用トレイ１０には、塗布具４０におけるブラシ部４１と整合する形状の溝部３１が形成されている。このような構成の混合用トレイ１０によれば、ブラシ部４１が変形しにくい塗布具４０を用いた場合にも、毛髪用塗布剤を毛髪へ良好に塗布することができる。【選択図】図５
2008114881.tif 000002
【特許請求の範囲】
【請求項１】
塗布具を用いて毛髪に塗布する毛髪用塗布剤を、毛髪に塗布する前に混合する容器として用いられる混合用トレイであって、
前記塗布具における毛髪用塗布剤を保持する部分である保持部を挿入可能な溝部が形成されており、前記溝部の少なくとも一部が前記塗布具の保持部と整合する形状であること
を特徴とする毛髪用塗布剤の混合用トレイ。
【請求項２】
前記溝部は、毛髪用塗布剤の混合スペースへ向かって幅が広がった形状であること
を特徴とする請求項１に記載の毛髪用塗布剤の混合用トレイ。
【請求項３】
前記溝部は、当該混合用トレイにおける端部に形成されていること
を特徴とする請求項１又は請求項２に記載の毛髪用塗布剤の混合用トレイ。
【請求項４】
当該混合用トレイは、平面視において略長方形に形成されており、
前記溝部は、長手方向の端部における短手方向の中央位置に形成されていること
を特徴とする請求項３に記載の毛髪用塗布剤の混合用トレイ。
【請求項５】
前記溝部の底面は、当該混合用トレイの底面から上端部にかけてなだらかにカーブしていること
を特徴とする請求項１から請求項４までのいずれか１項に記載の毛髪用塗布剤の混合用トレイ。
【請求項６】
請求項１から請求項５までのいずれか１項に記載の混合用トレイの使用方法であって、
前記塗布具により混合した毛髪用塗布剤を前記溝部へ集め、前記塗布具における保持部を前記溝部へ挿入した状態から、前記塗布具を前記混合用トレイの外へ引き出すことにより、前記塗布具の保持部に毛髪用塗布剤を保持させること
を特徴とする混合用トレイの使用方法。
【発明の詳細な説明】
【技術分野】
【０００１】
本発明は、毛髪用塗布剤の混合容器として用いられる混合用トレイに関するものである。
【背景技術】
【０００２】
従来、複数の薬剤を使用直前に混合して毛髪に塗布する方式の毛髪用塗布剤が知られている。こうした毛髪用塗布剤は、その混合容器として用いられる混合用トレイや、混合及び毛髪への塗布に用いられる塗布具等とセットで流通することが一般的である。具体的には、例えば、毛髪用塗布剤の第１剤（薬剤）が充填されたチューブ容器（以下「第１チューブ容器」という。）、毛髪用塗布剤の第２剤（薬剤）が充填されたチューブ容器（以下「第２チューブ容器」という。）、混合用トレイ、塗布具等が、外箱に収容された状態で流通する。
【０００３】
ここで、混合用トレイとしては、合成樹脂製のシートを金型で容器状に成型したものが用いられることが一般的である。具体的には、毛髪用塗布剤を混合するための混合用スペースが形成されており、さらに、外箱に収容されている状態でチューブ容器等を効率よく収容することができるように、チューブ容器を定位置に載置するための載置部が形成されている（特許文献１，２参照）。
【０００４】
そして、このように流通する毛髪用塗布剤を使用する際には、まず、混合用トレイとともにこれに収容された第１チューブ容器、第２チューブ容器、塗布具等を外箱から取り出す。続いて、第１チューブ容器及び第２チューブ容器の薬剤を混合用トレイ内の混合用スペースに絞り出し、塗布具で混合する。そして、混合した毛髪用塗布剤を塗布具ですくうことにより塗布具に保持させ、毛髪に塗布する。
【特許文献１】特開２０００−１６８８５２号公報
【特許文献２】実用新案登録第３０８８１００号公報
【発明の開示】
【発明が解決しようとする課題】
【０００５】
ところで、毛髪用塗布剤を毛髪に塗布するための塗布具としては、線状（毛状）部材を束ねた刷毛のように、塗布具における毛髪用塗布剤を保持する部分である保持部が容易に変形するものと、棒状部材や板状部材等により櫛歯を形成したブラシやコームのように、塗布具における保持部（櫛歯部）が変形しにくいものがある。ここで、ブラシやコームは、刷毛に比べ、髪の毛を梳かしながら薬剤を塗布できるという利点がある。また、保持部が変形しにくいために、手や腕の力の入れ具合を調節する必要がなく、初心者でも簡単に操作することができる。
【０００６】
しかしながら、ブラシやコームは、刷毛に比べて保持部が変形しにくい分、混合用トレイ内の混合用スペースで混合した毛髪用塗布剤を保持部にバランスよく保持させることが難しいという問題があった。
【０００７】
すなわち、例えば、混合用トレイ内の毛髪用塗布剤をブラシですくうことによりブラシの櫛歯部（保持部）に保持させた際に、毛髪用塗布剤が櫛歯の基端部（奥）まで入り込んだ部分と櫛歯の先端部までしか入り込んでいない部分とが生じると、毛髪への塗布量にむらが生じやすくなってしまう。このため、ブラシの櫛歯部全域において毛髪用塗布剤が櫛歯の基端部まで入り込むようにすることが好ましいが、このようにするには、混合用トレイ内の毛髪用塗布剤を櫛歯の長さ以上に高く堆積させた状態ですくう必要があり、毛髪用塗布剤の量が少なくなるほど困難となる。
【０００８】
また、混合用トレイ内の毛髪用塗布剤をブラシですくった際に、毛髪用塗布剤が櫛歯部の外へはみ出した状態で保持されやすく（ブラシに保持される毛髪用塗布剤の形状が定まらず）、生え際などへきれいに塗布することができない。
【０００９】
本発明は、こうした問題にかんがみてなされたものであり、毛髪用塗布剤をブラシやコームを用いて良好に塗布することのできる毛髪用塗布剤の混合用トレイ及びその使用方法を提供することを目的としている。
【課題を解決するための手段】
【００１０】
上記目的を達成するためになされた本発明の請求項１に記載の毛髪用塗布剤の混合用トレイは、塗布具を用いて毛髪に塗布する毛髪用塗布剤を、毛髪に塗布する前に混合する容器として用いられるものである。そして、この混合用トレイには、塗布具における保持部（毛髪用塗布剤を保持する部分）を挿入可能な溝部が形成されており、溝部の少なくとも一部が塗布具の保持部と整合する形状となっている。
【００１１】
このような構成の混合用トレイによれば、棒状部材や板状部材等により櫛歯を形成したブラシやコームのように、保持部（櫛歯部）が変形しにくい塗布具を用いた場合にも、毛髪用塗布剤を毛髪へ良好に塗布することができる。
【００１２】
すなわち、本発明の混合用トレイには、塗布具における保持部を挿入可能な溝部が形成されているため、この溝部に毛髪用塗布剤を集めることで、平らな面に集めるのに比べ毛髪用塗布剤を高く堆積させることが可能となる。この結果、塗布具の保持部全域において毛髪用塗布剤を奥まで入り込ませやすくすることができる。また、混合用トレイ内の毛髪用塗布剤の量が少なくなるまで安定して使用することができる。
【００１３】
しかも、溝部の少なくとも一部が保持部と整合する形状であるため、この部分に保持部を挿入することで、余分な毛髪用塗布剤が櫛歯部の外へはみ出した状態で保持されることが防止される。この結果、毛髪用塗布剤を過不足なく保持させることができ、毛髪への塗布量にむらが生じにくくなるとともに、生え際などへきれいに塗布することができる。
【００１４】
なお、ここでいう溝部とは、平面や曲面等に凹部を形成したものに限定されるものではなく、例えば、互いに対向する凸部により溝部の側壁を形成したものであってもよい。
また、例えば請求項２に記載のように、溝部が毛髪用塗布剤の混合スペースへ向かって幅が広がった形状であれば、混合された毛髪用塗布剤を溝部へスムーズに集めることができる。
【００１５】
さらに、請求項３に記載のように、溝部が混合用トレイにおける端部に形成されていれば、溝部が混合用トレイにおける中心部に形成されている構成に比べ、毛髪用塗布剤の混合用スペースを広く確保することができるとともに、塗布具を溝部から混合用トレイの外へ引き抜く操作を行いやすくすることができる。
【００１６】
特に、請求項４に記載の混合用トレイは、平面視において略長方形に形成されており、溝部が長手方向の端部における短手方向の中央位置に形成されている。このような構成の混合用トレイによれば、短手方向の両側に毛髪用塗布剤の容器（例えば、第１チューブ容器及び第２チューブ容器）を載置する場合に、容器を載置する機能が溝部により損なわれにくくすることができる。
【００１７】
一方、請求項５に記載のように、溝部の底面が、混合用トレイの底面から上端部にかけてなだらかにカーブしていれば、混合用トレイの底面で混合された毛髪用塗布剤を上端部側へスムーズに移動させることができる。
【００１８】
次に、請求項６に記載の混合用トレイの使用方法は、請求項１から請求項５までのいずれか１項に記載の混合用トレイを使用する方法である。そして、この使用方法は、塗布具により混合した毛髪用塗布剤を溝部へ集め、塗布具における保持部を溝部へ挿入した状態から、塗布具を混合用トレイの外へ引き出すことにより、塗布具の保持部に毛髪用塗布剤を保持させることを特徴とする。このような使用方法によれば、塗布具における保持部に毛髪用塗布剤を過不足なく保持させることができる。
【発明を実施するための最良の形態】
【００１９】
以下、本発明が適用された実施形態について、図面を用いて説明する。
［第１実施形態］
図１は第１実施形態の混合用トレイ１０の外観を表す斜視図、図２は平面図、図３は短手方向から見た側面図、図４は長手方向から見た側面図、図５は混合用トレイ１０の使用方法を表す説明図である。
【００２０】
この混合用トレイ１０は、従来の混合用トレイと同様、塗布具４０（図５参照）を用いて毛髪に塗布するクリーム状の毛髪用塗布剤（第１剤及び第２剤）を、毛髪に塗布する直前に混合する容器として用いられるものである。そして、従来の混合用トレイと同様、毛髪用塗布剤の第１剤が充填された第１チューブ容器、毛髪用塗布剤の第２剤が充填された第２チューブ容器、毛髪用塗布剤の混合及び毛髪への塗布に用いる塗布具４０等とともに、外箱に収容された状態で流通する。
【００２１】
ここで、本実施形態の混合用トレイ１０とセットで用いられる塗布具４０（図５参照）は、合成樹脂製のものであって、ブラシとコームの両方の機能を備えたタイプのものである。具体的には、複数の棒状部材を縦横に複数列立設した櫛歯部（ブラシ部４１）と、複数の棒状部材を直線状に一列のみ立設した櫛歯部（コーム部４２）とが、取手（把持部）４３の一端に形成されている。
【００２２】
一方、混合用トレイ１０は、従来の混合用トレイと同様、合成樹脂製のシートを金型で容器状に成型することにより、毛髪用塗布剤を混合するための混合用スペース１１が形成されたものである（図１、図２参照）。なお、混合用スペース１１を形成する側壁１２，１３，１４，１５の上端部には、剛性を高めるための鍔部１６が形成されている。
【００２３】
また、混合用トレイ１０には、外箱に収容されている状態でチューブ容器等を収容することができるように、平面視で略長方形の容器状に形成されているとともに、各チューブ容器を定位置に載置するための先端載置部２０及び後端載置部３０が形成されている（図１、図２参照）。
【００２４】
先端載置部２０は、混合用トレイ１０の長手方向一端（側壁１３側であり図２でいう右側）に形成された段差部であって、その上面には円周面状の２つの凹み部２１，２２が形成されている（図４参照）。このような形状により、各チューブ容器の先端部（キャップ部分）を各凹み部２１，２２上に載置可能としている。
【００２５】
また、後端載置部３０は、混合用トレイ１０の長手方向他端（側壁１５側であり図２でいう左側）において湾曲して盛り上がるように形成された段差部であり、各チューブ容器の後端部を載置可能としている。
【００２６】
ここで、後端載置部３０における短手方向（混合用トレイ１０の短手方向）中央位置には、塗布具４０におけるブラシ部４１の外形と整合する形状であってブラシ部４１を挿入可能な溝部３１が混合用トレイ１０の長手方向に沿って形成されている。
【００２７】
溝部３１は、ブラシ部４１の幅と同じ又はやや広い幅（ブラシ部４１の外形と整合する幅）であって、混合用トレイ１０の長手方向に沿ってほぼ一定の幅に形成されている。また、最も深い部分がブラシ部４１の櫛歯の長さと同じ又はやや深く形成されている。さらに、溝部３１の底面（側壁１５）は、混合用トレイ１０の底面から上端部にかけてなだらかにカーブしており（図３参照）、混合用スペース１１（底面）で混合された毛髪用塗布剤を上端部側へスムーズに移動させることができるようになっている。
【００２８】
次に、混合用トレイ１０の使用方法について説明する。
まず、混合用トレイ１０とともにこれに収容された第１チューブ容器、第２チューブ容器、塗布具４０等を外箱から取り出す。
【００２９】
続いて、第１チューブ容器及び第２チューブ容器の薬剤を混合用トレイ１０内の混合用スペース１１に絞り出し、塗布具４０で混合する。
続いて、混合した毛髪用塗布剤を、溝部３１へ集め、塗布具４０におけるブラシ部４１を溝部３１へ挿入する（図５参照）。これにより、ブラシ部４１全域において毛髪用塗布剤が櫛歯の基端部（奥）まで入り込む。
【００３０】
そして、この状態から、塗布具４０を混合用トレイ１０の外へ（図２でいう矢印Ａ方向へ）引き出す。このとき、ブラシ部４１の先端側が溝部３１の底面と対向し、ブラシ部４１の両サイド（側方）が溝部の各側面と対向することにより、余分な毛髪用塗布剤がブラシ部４１の先端側及び両サイドから外へはみ出した状態で保持されることが防止され（余分な毛髪用塗布剤が除去され）、毛髪用塗布剤が過不足なく保持される。このようにして毛髪用塗布剤が塗布具４０におけるブラシ部４１に保持されることで、毛髪用塗布剤が毛髪へ良好に塗布されることとなる。
【００３１】
以上説明したように、第１実施形態の混合用トレイ１０によれば、ブラシ部４１が変形しにくい塗布具４０を用いて毛髪用塗布剤を毛髪へ良好に塗布することができる。
すなわち、混合用トレイ１０には、塗布具４０におけるブラシ部４１と整合する形状の溝部３１が形成されているため、この溝部３１に毛髪用塗布剤を集めることで、平らな面に集めるのに比べ毛髪用塗布剤を高く堆積させることが可能となる。この結果、塗布具４０におけるブラシ部４１全域において毛髪用塗布剤を櫛歯の基端部まで入り込ませやすくすることができる。また、混合用トレイ１０内の毛髪用塗布剤の量が少なくなるまで安定して使用することができる。
【００３２】
しかも、溝部３１がブラシ部４１と整合する形状であるため、この部分にブラシ部４１を挿入して引き抜く（スライドさせる）ことで、余分な毛髪用塗布剤がブラシ部４１の外へはみ出した状態で保持されることが防止される。この結果、毛髪用塗布剤を過不足なく保持させることができ、毛髪への塗布量にむらが生じにくくなるとともに、生え際などへきれいに塗布することができる。
【００３３】
一方、溝部３１が混合用トレイ１０の長手方向端部に形成されているため、毛髪用塗布剤の混合用スペース１１を広く確保することができるとともに、塗布具４０を溝部３１から混合用トレイ１０の外へ引き抜く操作を行いやすくすることができる。また、溝部３１が混合用トレイ１０の短手方向中央位置に形成されているため、第１チューブ容器及び第２チューブ容器の各後端部を載置する機能が損なわれないようにすることができる。
【００３４】
［第２実施形態］
次に、第２実施形態の混合用トレイ５０について説明する。
図６は第２実施形態の混合用トレイ５０の外観を表す斜視図、図７は平面図である。なお、側面図は第１実施形態の混合用トレイ１０（図３、図４）と同様であるため省略する。
【００３５】
この混合用トレイ５０は、第１実施形態の混合用トレイ１０と比較すると、後端載置部３０に形成された溝部３２が、毛髪用塗布剤の混合用スペース１１へ向かって幅が広がった形状となっている点が異なる。その他の構成については第１実施形態と同一であるため説明を省略する。
【００３６】
溝部３２は、最も幅の狭い部分（上端部）がブラシ部４１の幅と同じ又はやや広い幅に形成されており、最も深い部分がブラシ部４１の櫛歯の長さと同じ又はやや深く形成されている。
【００３７】
このような第２実施形態の混合用トレイ５０は、第１実施形態の混合用トレイ１０と同様の効果に加え、混合用スペース１１で混合した毛髪用塗布剤を溝部３２へスムーズに集めることができるという効果を奏する。加えて、製造時における型抜きが行いやすくなるという効果も奏する。また、混合用トレイ５０の長手方向と塗布具４０の引き抜き方向とがある程度ずれていても（例えば、図７に示す矢印Ａ’、Ａ”方向へ引き出す場合でも）、同様の効果を奏することが可能となる。
【００３８】
以上、本発明の実施形態について説明したが、本発明は、種々の形態を採り得ることは言うまでもない。
例えば、上記各実施形態では、２本のチューブ容器を収容する混合用トレイ１０を例示したが、これに限定されるものではなく、３本以上のチューブ容器を収容するものであっても本発明を適用することができる。なお、薬剤の容器はチューブ容器以外であってもよい。また、本発明の混合用トレイは、薬剤の容器を収容可能な構成に限定されるものではない。
【００３９】
また、上記各実施形態では、塗布具４０におけるブラシ部４１の外形と整合する形状の溝部３１，３２が形成された構成を例示したが、これに限定されるものではなく、例えば、コーム部４２の外形と整合する形状の溝部が形成された構成とすることも可能である。この場合、コーム部４２はブラシ部４１に比べて幅が狭いため、溝部の幅もコーム部４２の外形に合わせて狭く形成される。また、例えば、ブラシ部４１用の溝部とコーム部４２用の溝部の両方が形成された構成とすることも可能である。
【００４０】
さらに、上記各実施形態では、塗布具４０としてブラシとコームの両方の機能を備えたタイプのものを用いた構成を例示したが、これに限定されるものではなく、例えば、塗布具として単機能のブラシやコームを用いた構成とすることも可能である。
【００４１】
一方、上記実施形態では、段差部に凹部を形成することにより溝部３１を形成しているが、これに限定されるものではなく、例えば、互いに対向する凸部（互いに対向する一対の壁部など）により溝部３１の側壁を形成してもよい。
【図面の簡単な説明】
【００４２】
【図１】第１実施形態の混合用トレイの外観を表す斜視図である。
【図２】第１実施形態の混合用トレイの平面図である。
【図３】第１実施形態の混合用トレイの短手方向から見た側面図である。
【図４】第１実施形態の混合用トレイの長手方向から見た側面図である。
【図５】第１実施形態の混合用トレイの使用方法を表す説明図である。
【図６】第２実施形態の混合用トレイの外観を表す斜視図である。
【図７】第２実施形態の混合用トレイの平面図である。
【符号の説明】
【００４３】
１０，５０…混合用トレイ、１１…混合用スペース、１２，１３，１４，１５…側壁、１６…鍔部、２０…先端載置部、２１，２２…凹み部、３０…後端載置部、３１，３２…溝部、４０…塗布具、４１…ブラシ部
【図１】
2008114881.tif 000003
【図２】
2008114881.tif 000004
【図３】
2008114881.tif 000005
【図４】
2008114881.tif 000006
【図５】
2008114881.tif 000007
【図６】
2008114881.tif 000008
【図７】
2008114881.tif 000009